【手続補正書】
【提出日】平成19年1月23日(2007.1.23)
【手続補正１】
【補正対象書類名】特許請求の範囲
【補正対象項目名】全文
【補正方法】変更
【補正の内容】
【特許請求の範囲】
【請求項１】
ネットワークに接続されたディスクアレイ装置のネットワーク内の設定を行うディスクアレイ装置の保守用端末において、
導通ピンを選択的に挿入することにより、上記ディスクアレイ装置のネットワーク内の設定を選択的に切り替え可能とする複数の設定端子と、
上記複数の設定端子に対する上記導通ピンの選択的挿入により、選択的に切り替えられた上記ディスクアレイ装置のネットワーク内の設定状態に対応して複数の表示素子の点灯及び消灯による状態表示を可能とする発光表示素子と
を備えたことを特徴とするディスクアレイ装置の保守用端末。
【請求項２】
請求項１記載のディスクアレイ装置の保守用端末において、
上記複数の設定端子に対する上記導通ピンの選択的挿入により、上記設定状態に対応する上記ネットワーク上の識別番号を示すＩＰアドレスを強制的に初期設定に戻し、上記ディスクアレイ装置に対する入力操作を許可するパスワードを初期化することを特徴とするディスクアレイ装置の保守用端末。
【請求項３】
請求項１記載のディスクアレイ装置の保守用端末において、
上記複数の設定端子に対する上記導通ピンの選択的挿入により、上記発光表示素子に現在の上記設定状態又はエラーコードを表示させることを特徴とするディスクアレイ装置の保守用端末。
【請求項４】
請求項１記載のディスクアレイ装置の保守用端末において、
上記発光表示素子に上記ネットワーク内での上記設定状態に対応する個別パターンの点灯を行うと共に、上記ネットワーク内の操作用端末の画面にも上記個別パターンと同じパターンを表示させることを特徴とするディスクアレイ装置の保守用端末。
【請求項５】
請求項１記載のディスクアレイ装置の保守用端末において、
複数台の上記ディスクアレイ装置に対して、いくつかのグループに分けて設定を行う際に、上記ネットワーク内の操作用端末からの要求に応じて、設定対象のディスクアレイ装置の上記発光表示素子にはあるパターン点灯を行い、それ以外のディスクアレイ装置の上記発光表示素子には消灯を行うようにしたことを特徴とするディスクアレイ装置の保守用端末。
【請求項６】
請求項１記載のディスクアレイ装置の保守用端末において、
上記ディスクアレイ装置内に保守用端末が２台設けられ、上記２台の保守用端末のうち稼動端末に障害が発生すると待機端末が上記稼動端末に置き換わり、上記待機端末は常に電源オン状態であって上記待機端末の上記発光表示素子には消灯を行わないことを特徴とするディスクアレイ装置の保守用端末。
【請求項７】
請求項１記載のディスクアレイ装置の保守用端末において、
上記複数の設定端子は導通用のジャンパピンが挿入されるジャンパコネクタであり、上記発光表示素子は発光ダイオードであることを特徴とするディスクアレイ装置の保守用端末。
【請求項８】
請求項１記載のディスクアレイ装置の保守用端末において、
上記複数の設定端子はスイッチであり、上記発光表示素子は液晶パネルであることを特徴とするディスクアレイ装置の保守用端末。
【手続補正２】
【補正対象書類名】明細書
【補正対象項目名】０００７
【補正方法】変更
【補正の内容】
【０００７】
上記課題を解決し、本発明の目的を達成するため、本発明のディスクアレイ装置の保守用端末は、導通ピンを選択的に挿入することにより、ディスクアレイ装置のネットワーク内の設定を選択的に切り替え可能とする複数の設定端子が設けられている。これにより、複数の設定端子に対して導通ピンを選択的に挿入することができるので、導通ピンの複数の設定端子に対する挿入又は抜き出しの操作のみで簡単にディスクアレイ装置のネットワーク内の設定を行うことができる。
【手続補正３】
【補正対象書類名】明細書
【補正対象項目名】０００８
【補正方法】変更
【補正の内容】
【０００８】
また、本発明のディスクアレイ装置の保守用端末は、複数の設定端子に対する導通ピンの選択的挿入により、選択的に切り替えられたディスクアレイ装置のネットワーク内の設定状態に対応して複数の表示素子の点灯及び消灯による状態表示を可能とする発光表示素子を備えている。これにより、ディスクアレイ装置のネットワーク内の設定状態を複数の表示素子の点灯及び消灯による表示により目視で確認することができる。
【手続補正４】
【補正対象書類名】明細書
【補正対象項目名】０００９
【補正方法】変更
【補正の内容】
【０００９】
これにより、複数の発光表示素子と複数の設定端子を保守用端末に搭載し、ネットワークを介してディスクアレイ装置に対してリモート端末を接続しない状況においても、ディスクアレイ装置のネットワーク内の設定状態等の情報取得や設定を行うことができる。また、複数の設定端子に対する導通ピンの選択的挿入又はリモート端末からの遠隔要求により複数の発光表示素子の点灯及び消灯による状態表示によりディスクアレイ装置のネットワーク内の接続確認等を行うことができる。
【手続補正５】
【補正対象書類名】明細書
【補正対象項目名】００１０
【補正方法】変更
【補正の内容】
【００１０】
本発明によれば、ディスクアレイ装置の設定を行うことができると共に、その設定内容を容易に確認することができるディスクアレイ装置の保守用端末を得ることができる。特に、複数の発光表示素子は通常時に接続確認のためのネットワーク内での設定状態を示す個別のパターンを点灯させることができる。また、複数の設定端子に対する導通ピンの選択的挿入や操作用端末やホストからの遠隔要求にしたがって点灯パターンを変化させることができる。
【手続補正６】
【補正対象書類名】明細書
【補正対象項目名】００１４
【補正方法】変更
【補正の内容】
【００１４】
図１は、本発明に関わるディスクアレイ装置の保守端末搭載のＬＥＤとＪＰを示した図である。図１において、図１３に示した稼動用の保守用端末１３１及び待機用の保守用端末１３２には、８つの発光素子を２列に配列した発光表示素子としての発光ダイオード（ＬＥＤ）１と、導通用のジャンパピン５が挿入される３つの設定端子としてのジャンパコネクタ（ＪＰ１）２、ジャンパコネクタ（ＪＰ２）３、ジャンパコネクタ（ＪＰ３）４が同一面上に装着されている。
【手続補正７】
【補正対象書類名】明細書
【補正対象項目名】００１８
【補正方法】変更
【補正の内容】
【００１８】
ここでは、上述したリモート接続を実現させるために、各ディスクアレイ装置４１，４２，４３に装着されている保守用端末のネットワーク上の識別番号を示すＩＰアドレスを強制的に初期設定し戻し、各ディスクアレイ装置４１，４２，４３に対する入力操作を許可するパスワードを初期化する。初期化設定を行う場合には、例えば、ジャンパコネクタ（ＪＰ１）、（ＪＰ２）、（ＪＰ３）の全てに導通用のジャンパピン５を挿入するようにしてもよい。
【手続補正８】
【補正対象書類名】明細書
【補正対象項目名】００１９
【補正方法】変更
【補正の内容】
【００１９】
次に、第２の実施の形態例として、ＩＰアドレス表示、ＩＰアドレス点灯を行う場合を説明する。
上述した図４の接続において、操作用パーソナルコンピュータ（ＰＣ）４５からネットワーク４４を介して各ディスクアレイ装置４１，４２，４３に装着されている保守用端末に対してリモート接続が不可である場合に、各ディスクアレイ装置４１，４２，４３に装着されている保守用端末のＩＰアドレスを参照する必要がある。そのときに、各ディスクアレイ装置４１，４２，４３に装着されている保守用端末のジャンパコネクタ（ＪＰ１）、（ＪＰ２）、（ＪＰ３）に導通用のジャンパピン５を挿入し、発光ダイオード（ＬＥＤ）４１−１、４２−１、４３−１にＩＰアドレスを表示する。これにより、ＩＰアドレスを表示させて、リモート接続が不可の原因を検査することができる。
【手続補正９】
【補正対象書類名】明細書
【補正対象項目名】００４７
【補正方法】変更
【補正の内容】
【００４７】
また、上述した実施の形態に示した導通用のジャンパピンが挿入されるジャンパコネクタ及び発光ダイオードに限らず、スイッチ及び液晶パネルを適用してもよい。